(57)【要約】【課題】室内照明器具や液晶表示装置におけるバックライト用の光源からのノイズ光が存在する環境下においても，簡易な構成により，リモート操作器から出力される信号光（赤外光の変調光）に応じて正常に処理を実行できること。【解決手段】下側に配置された第１信号光受光素子１３への信号光の入射経路に信号光のピーク波長に対して所定の波長幅以上長い波長の光を減衰させる光フィルタ１３を，第２信号光受光素子２３への信号光の入射経路に信号光のピーク波長に対して所定の波長幅以上短い波長の光を減衰させる光フィルタ２３を設け，制御部３０が，信号光受光素子１３，２３により出力される検出信号Ｓｇ１，Ｓｇ２が信号光に対応する正規の信号であるか否かを判別し，正規の信号であると判別した検出信号に応じた処理を実行する。【選択図】図５
2009065406.tif 000002
【特許請求の範囲】
【請求項１】
リモート操作器から出力される赤外光の変調光である信号光を受光して該信号光に応じた検出信号を出力する２つの信号光検出手段を備え，該信号光検出手段により出力される検出信号に応じた処理を実行する制御装置であって，
前記２つの信号光検出手段のうちの一方である第１の信号光検出手段への前記信号光の入射経路に配置され，前記信号光のピーク波長に対して所定の波長幅以上長い波長の光を減衰させる第１の光フィルタと，
前記２つの信号光検出手段のうちの他方である第２の信号光検出手段への前記信号光の入射経路に配置され，前記信号光のピーク波長に対して所定の波長幅以上短い波長の光を減衰させる第２の光フィルタと，
前記第１の信号光検出手段及び前記第２の信号光検出手段により出力される検出信号が，前記信号光に対応する正規の信号であるか否かを判別する信号正否判別手段と，
前記信号正否判別手段により前記正規の信号であると判別された前記検出信号に応じた処理を実行する制御手段と，
を具備してなることを特徴とする制御装置。
【請求項２】
前記第１の信号光検出手段及び前記第２の信号光検出手段のいずれか一方により出力された検出信号を選択する信号選択手段を具備し，
前記信号正否判別手段が，前記信号選択手段により選択された検出信号について前記正規の信号であるか否かを判別してなる請求項１に記載の制御装置。
【請求項３】
前記信号選択手段が，前記第１の信号光検出手段及び前記第２の信号光検出手段それぞれから並行して検出信号が出力される場合に，前記信号正否判別手段の過去の判別結果に基づいて前記第１の信号光検出手段及び前記第２の信号光検出手段のいずれか一方により出力された検出信号を選択する第１の信号選択手段を具備してなる請求項２に記載の制御装置。
【請求項４】
前記信号正否判別手段が，前記第１の信号光検出手段及び前記第２の信号光検出手段それぞれから並行して検出信号が出力される場合に，その検出信号両方について前記正規の信号であるか否かを判別してなる請求項１に記載の制御装置。
【請求項５】
所定の映像表示部の周囲における，相対的に下側の位置に前記第１の信号光検出手段及び前記第１の光フィルタが，相対的に上側の位置に前記第２の信号光検出手段及び前記第２の光フィルタがそれぞれ配置されてなる請求項１〜４のいずれかに記載の制御装置。
【請求項６】
前記映像表示部の周囲における，前記映像表示部の下端近傍に前記第１の信号光検出手段及び前記第１の光フィルタが，前記映像表示部の上端近傍に前記第２の信号光検出手段及び前記第２の光フィルタがそれぞれ配置されてなる請求項５に記載の制御装置。
【請求項７】
前記映像表示部が，冷陰極管を含む光源により背後から照明される液晶表示パネルである請求項６に記載の制御装置。
【請求項８】
前記信号選択手段が，前記第１の信号光検出手段及び前記第２の信号光検出手段それぞれから並行して検出信号が出力される場合に，前記光源の点灯開始からの経過時間又は前記光源の温度に基づいて前記第１の信号光検出手段及び前記第２の信号光検出手段のいずれか一方により出力された検出信号を選択する第２の信号選択手段を具備してなる請求項７に記載の制御装置。
【請求項９】
前記信号光のピーク波長が９５０ｎｍ，前記第１の光フィルタが１０００ｎｍ以上の波長の光を遮断する光フィルタ，前記第２の光フィルタが９００ｎｍ以下の波長の光を遮断する光フィルタである請求項１〜８のいずれかに記載の制御装置。
【請求項１０】
冷陰極管を含む光源及び該光源により背後から照明される液晶表示パネルを備えた液晶表示装置であって，
請求項１〜９のいずれかに記載の制御装置を具備してなることを特徴とする液晶表示装置。
【発明の詳細な説明】
【技術分野】
【０００１】
本発明は，リモート操作器から出力される信号光を受光し，その信号光に応じた処理を実行する制御装置及びそれを具備する液晶表示装置に関するものである。
【背景技術】
【０００２】
従来，テレビジョン受像機（映像表示装置の一例）や録画再生装置等の電子機器において，リモート操作器（いわゆるリモコン）から送信される赤外光の変調光である信号光は，電子機器の前面側の所定位置に配置された導光部から装置内に導入され，フォトトランジスタ等の光電変換手段を備えた信号光検出センサにより，その信号光が光電変換されるとともにその信号光の変調内容に応じた検出信号（電気信号）が生成される。そして，マイクロコンピュータ等からなる制御部が，信号光検出センサの検出信号に応じた処理，例えば，チャンネル選局処理や音量調節処理などを実行する。
また，テレビジョン受像機等の映像表示装置においては，その前面における中央から縁部にかけての大部分が映像表示部（例えば，液晶表示パネル等）で占められるため，前記信号光検出センサは，映像表示部の周囲（例えば，下端近傍や上端近傍等）に配置されている。
ところで，大型の映像表示部（例えば，５０インチ以上）を備える映像表示装置においては，信号光検出センサが映像表示部の周囲の１箇所にしか存在しない場合，比較的近くでリモート操作器が操作されると，信号光の広がり角度の制約から，信号光が信号光検出センサによって受光されない（信号光が信号光検出センサに到達しない）事態が生じ得る。そこで，大型の映像表示部を備える映像表示装置においては，その映像表示部の周囲の複数箇所に信号光検出センサが設けられ，制御部が，それら複数の信号光検出センサで得られる複数の検出信号の合成信号や，論理和信号に対応した処理を実行する場合がある。これにより，信号光の受光範囲が広がるため，映像表示装置本体の近くでリモート操作器が操作された場合でも，少なくともいずれかの信号光検出センサで信号光を検出して正常に処理を実行できる。この場合，利用者によって操作されるリモート操作器の向きは，左右方向よりも上下方向において特にばらつきが大きいため，信号光検出センサを映像表示部の下端付近と上端付近とのそれぞれに配置されることが多い。
一方，特許文献１や特許文献２には，リモート操作器側からキャリア周波数或いは波長が異なる複数種類の信号光を出力し，それを受光する電子機器側において，複数種類の信号光を個別に検出する技術について示されている。
【特許文献１】特開昭６１−１４５９９９号公報
【特許文献１】特開２００３−８７８７３号公報
【発明の開示】
【発明が解決しようとする課題】
【０００３】
ところで，インバータ式の冷陰極管（蛍光管）等の照明器具の光は，その赤外光の成分がリモート操作器から出力される信号光のノイズとなることが知られている。同様に，液晶表示装置が備える液晶表示パネルのバックライト用の冷陰極管の光も信号光のノイズとなる。
例えば，冷陰極管は，その点灯開始後の非定常状態（安定状態になる前）であるときに，管内のアルゴンガスにより７８０〜８６０［ｎｍ］の波長の光を放射し，その後の安定状態においては管内の水銀により１０１０［ｎｍ］付近の波長の光を放射する。そのため，ピーク波長が約９５０［ｎｍ］である信号光に対し，冷陰極管の光が短波長側のノイズ光となったり，長波長側のノイズ光となったりする。
このため，例えば，映像表示装置は，冷陰極管による室内照明の下では，信号光検出センサに到達する信号光の強度が弱くなるにつれてノイズの影響が大きくなり，リモート操作器が正常に機能するための装置本体からリモート操作器までの距離（以下，リモート操作可能距離と称する）が短くなるという問題点があった。特に，大型の映像表示部（例えば，５０インチ以上）を備える映像表示装置においては，映像表示部の上端付近に配置される信号光検出センサが天井の照明器具に近くなり，また，バックライト用の光源（冷陰極管）の輝度が高いため，室内照明やバックライト用の光源からのノイズ光が比較的高いパワーで混入し，前記リモート操作可能距離が短くなる問題点がより顕著となる。
【０００４】
上記問題点に対し，特許文献１や特許文献２に示される技術を採用し，リモート操作器側から一連の操作ごとにキャリア周波数或いは波長が異なる複数種類の信号光を出力し，その複数種類の信号光を電子機器側において個別に検出すれば，ノイズの影響のない信号光を選択して正常に処理を実行できる可能性が高まる。
しかしながら，キャリア周波数や波長が異なる複数種類の信号光を用いることは，信号処理に関する部品の増大や演算負荷の増大を招き，ひいてはコストや消費電力の増大を招くという実用上の問題点があった。特に，リモート操作器は，電池を電源とするため，複数種類の信号光を出力しなければならないとすると，電池寿命が大幅に短くなる不都合が生じる。
一方，上記問題点に対し，信号光のピーク波長を含む所定の波長範囲（例えば，９００〜１０００［ｎｍ］）の赤外光を透過させ，その波長範囲以外の波長の光を遮断するバンドパス光フィルタを信号光検出センサへの信号光の入射経路に配置することが考えられる。しかしながら，一般に，バンドパス光フィルタ（例えば，信号光に対し短波長側の光を遮断する光フィルタと長波長側の光を遮断する光フィルタとを重ねたもの）を用いると，その光フィルタの透過時における信号光の減衰が大きくなり，背景ノイズとの関係で信号光検出センサによる信号光の検出感度が低下し，結局は前記リモート操作可能距離が短くなる問題点が解消されない。
従って，本発明は上記事情に鑑みてなされたものであり，その目的とするところは，室内照明器具や液晶表示装置におけるバックライト用の光源からのノイズ光が存在する環境下においても，簡易な構成により，リモート操作器から出力される信号光（赤外光の変調光）に応じて正常に処理を実行できる制御装置及びそれを具備する液晶表示装置を提供することにある。
【課題を解決するための手段】
【０００５】
上記目的を達成するために本発明に係る制御装置は，リモート操作器（外部操作器）から出力される赤外光の変調光である信号光を受光してその信号光に応じた検出信号（信号光の検出信号）を出力する２つの信号光検出手段を備え，その信号光検出手段により出力される検出信号に応じた処理を実行するものであり，次の（１）〜（４）に示す各構成要素を備えるものである。
（１）前記２つの信号光検出手段のうちの一方である第１の信号光検出手段への前記信号光の入射経路に配置され，前記信号光のピーク波長に対して所定の波長幅以上長い波長の光を減衰させる第１の光フィルタ。
（２）前記２つの信号光検出手段のうちの他方である第２の信号光検出手段への前記信号光の入射経路に配置され，前記信号光のピーク波長に対して所定の波長幅以上短い波長の光を減衰させる第２の光フィルタ。
（３）前記第１の信号光検出手段及び前記第２の信号光検出手段により出力される検出信号が，前記信号光に対応する正規の信号であるか否かを判別する信号正否判別手段。
（４）前記信号正否判別手段により前記正規の信号であると判別された前記検出信号に応じた処理を実行する制御手段。
なお，上記「減衰させる」は「遮断する」こをと含む。
また，本発明に係る制御装置において，前記信号正否判別手段が，前記第１の信号光検出手段及び前記第２の信号光検出手段それぞれから並行して検出信号が出力される場合に，その検出信号両方について前記正規の信号であるか否かを判別するものである場合（前者）と，その検出信号の一方についてのみ前記正規の信号であるか否かを判別するものである場合（後者）とが考えられる。なお，後者の方が，前者よりも演算負荷の軽さの面において有利であることはいうまでもない。
後者である場合，本発明に係る制御装置が，次の（５）に示す構成要素をさらに備えることが考えられる。
（５）前記第１の信号光検出手段及び前記第２の信号光検出手段のいずれか一方により出力された検出信号を選択する信号選択手段。なお，この場合，前記信号正否判別手段は，前記信号選択手段により選択された検出信号について前記正規の信号であるか否かを判別する。
【０００６】
本発明によれば，室内照明や液晶表示装置のバックライト用の冷陰極管が，点灯開始直後に信号光よりも波長の短いノイズ光を放射する状況下では，前記第１の信号光検出手段の検出信号に応じた正常な処理を実行できる。また，室内照明や液晶表示装置のバックライト用の冷陰極管が，点灯安定後に信号光よりも波長の長いノイズ光を放射する状況下では，前記第２の信号光検出手段の検出信号に応じた正常な処理を実行できる。
また，使用する信号光のキャリア周波数や波長は１種類で済むので，既存の汎用的なリモート操作器を用いることができ，コストの増大はごく僅かであり，また，消費電力の増大を招くことがなく実用性が高い。
さらに，前記第１の光フィルタ及び前記第２の光フィルタを重ねたバンドパス光フィルタを用いる場合のように，光フィルタの透過時における信号光の減衰によって前記信号光検出手段（前記信号光検出センサに相当）による信号光の検出感度が低下することもない。
従って，室内照明器具や液晶表示装置におけるバックライト用の光源からのノイズ光が存在する環境下においても，光フィルタを設けるという簡易な構成により，リモート操作器から出力される信号光に応じて正常に処理を実行することができる。
【０００７】
ところで，前記第１の信号光検出手段及び前記第２の信号光検出手段それぞれから並行して検出信号が出力される場合，前記信号選択手段が任意の一方を選択することも考えられるが，そうすると，ノイズの影響のない検出信号が存在するにもかかわらず，ノイズの影響を受けた検出信号を選択してしまい，正常な処理を実行できなくなる頻度が高くなってしまうこともあり得る。
そこで，本発明に係る制御装置が，前記信号選択手段を備える場合，次の（６）に示す構成を備えることが考えられる。
（６）前記信号選択手段が，前記第１の信号光検出手段及び前記第２の信号光検出手段それぞれから並行して検出信号が出力される場合に，前記信号正否判別手段の過去の判別結果に基づいて前記第１の信号光検出手段及び前記第２の信号光検出手段のいずれか一方により出力された検出信号を選択する第１の信号選択手段を備える。
本発明に係る制御装置が，上記（６）に示す構成を備えれば，前記第１の信号選択手段により，直近に前記正規の信号であると判別された側の検出信号，或いは直近に前記正規の信号でないと判別された側とは異なる側の検出信号を選択することができる。その結果，ノイズの影響のない検出信号を選択する確率を高め，より確実に正常な処理を実行できることにつながる。
なお，前記信号選択手段が，前記第１の信号光検出手段及び前記第２の信号光検出手段のいずれか一方のみから検出信号が出力される場合，その検出信号を選択するものであることはいうまでもない。
【０００８】
また，本発明に係る制御装置が映像表示装置に適用される場合，次の（７）に示す構成を備えることが望ましい。
（７）所定の映像表示部の周囲における，相対的に下側の位置（例えば，前記映像表示部の下端近傍）に前記第１の信号光検出手段及び前記第１の光フィルタが，相対的に上側の位置（例えば，前記映像表示部の上端近傍）に前記第２の信号光検出手段及び前記第２の光フィルタがそれぞれ配置される。
後述するように，上記（７）の構成を備えた制御装置は，室内照明用光源の点灯の状態（前記非定常状態又は前記定常状態）やリモート操作器の位置（信号光検出手段からの距離）によらず，ほぼ確実にリモート操作器から出力される信号光に応じて正常に処理を実行することができる装置となる。
【０００９】
また，前記映像表示部が，冷陰極管を含む光源により背後から照明される液晶表示パネルである場合，前記信号選択手段が，前記第１の信号光検出手段及び前記第２の信号光検出手段それぞれから並行して検出信号が出力される場合に，前記光源の点灯開始からの経過時間又は前記光源の温度に基づいて前記第１の信号光検出手段及び前記第２の信号光検出手段のいずれか一方により出力された検出信号を選択する第２の信号選択手段を備えることが考えられる。
冷陰極管を含む前記光源は，点灯開始後の前記非定常状態であるとき，即ち，点灯開始からの経過時間が短いときは，比較的短波長のノイズ光を放射するため，そのノイズ光の影響が小さい前記第２の信号光検出手段の検出信号を前記第３の信号選択手段が選択すれば，正常に処理を実行できる。一方，冷陰極管を含む前記光源は，点灯開始からの経過時間が長い前記定常状態であるときは，比較的長波長のノイズ光を放射するため，そのノイズ光の影響が小さい前記第１の信号光検出手段の検出信号を選択すれば，正常に処理を実行できる。
なお，冷陰極管の点灯開始からの経過時間が所定時間以上経過したか否かは，冷陰極管の温度或いはその変化によっても概ね判別できる。従って，冷陰極管を含む前記光源が前記非定常状態であるか前記定常状態であるかの判別は，前記光源の点灯開始からの経過時間の他，前記光源の温度に基づいても行うことができる。なお，前記光源の温度には，その光源自体の温度の他，その光源の温度の代替温度（光源の周囲の温度等）も含まれる。
【００１０】
また，本発明に係る制御装置において， 前記信号光のピーク波長が９５０ｎｍである場合，前記第１の光フィルタが１０００ｎｍ以上の波長の光を遮断する光フィルタ，前記第２の光フィルタが９００ｎｍ以下の波長の光を遮断する光フィルタであることが具体例として考えられる。
また，本発明は，冷陰極管を含む光源及びその光源により背後から照明される液晶表示パネルを備え，さらに前述した本発明に係る制御装置を備えた液晶表示装置として捉えることもできる。
【発明の効果】
【００１１】
本発明によれば，室内照明器具や液晶表示装置におけるバックライト用の光源からのノイズ光が存在する環境下においても，光フィルタを設けるという簡易な構成により，リモート操作器から出力される信号光（赤外光の変調光）に応じて正常に処理を実行することができる。特に，冷陰極管を含む光源及びその光源により背後から照明される大型の液晶表示パネルを備え，２つの信号光検出手段をその液晶表示パネルの上端付近及び下端付近に配置すると上側の信号光検出手段が天井（室内照明）に近い位置となる液晶表示装置に本発明を適用すれば特に好適である。
【発明を実施するための最良の形態】
【００１２】
以下添付図面を参照しながら，本発明の実施の形態について説明し，本発明の理解に供する。尚，以下の実施の形態は，本発明を具体化した一例であって，本発明の技術的範囲を限定する性格のものではない。
ここに，図１は本発明の実施形態に係る液晶表示装置Ｘの概略斜視図，図２は液晶表示装置Ｘが備える受光部の概略断面図，図３は冷陰極管の非定常時における出力光の波長分布及び受光部が備える短波長カットフィルタのフィルタ特性を表す図，図４は冷陰極管の定常時における出力光の波長分布及び受光部が備える長波長カットフィルタのフィルタ特性を表す図，図５は液晶表示装置Ｘが備えるリモコン制御装置Ｙの概略構成を表すブロック図，図６は液晶表示装置Ｘから遠い位置で操作器が操作された場合の信号光の到達範囲を模式的に表した図，図７は液晶表示装置Ｘから近い位置で操作器が操作された場合の信号光の到達範囲を模式的に表した図，図８はリモコン制御装置Ｙによる信号光対応制御の手順を表すフローチャートである。
【００１３】
まず，図１〜図５を参照しつつ，本発明の実施形態に係る液晶表示装置Ｘの構成について説明する。
液晶表示装置Ｘは，例えば，５０インチ以上の大型の液晶表示パネルである映像表示部１を備えたテレビジョン受像機などであり，外部の操作器４０（リモート操作器の一例）から送信される赤外光の変調光である信号光を，複数の光導入部Ｐ１，Ｐ２から装置内へ導入して受光し，その信号光の変調内容に応じた処理を実行するものである。操作器４０が出力する信号光は，例えば，ピーク波長λpが９５０［ｎｍ］，波長帯が９００〜１０００［ｎｍ］である赤外光が，３８［ｋＨｚ］のキャリア周波数で強度変調された信号光等である。
前記映像表示部１（液晶表示パネル）は，その背後から冷陰極管を含むバックライト用の光源によって照明される。
前記操作器４０は，複数の操作キー（操作部）が設けられており，操作されたキーに応じた強度変調がなされた赤外光である信号光を出力（送信）する。
液晶表示装置Ｘの前面は，中央から縁部にかけての大部分が大型の映像表示部１で占められ，その周囲の筐体２の部分に２つの光導入部Ｐ１，Ｐ２が配置されている。ここで，前記第１の光導入部Ｐ１よりも前記第２の光導入部Ｐ２の方が上方に位置する。より具体的には，図１に示すように，前記第１の光導入部Ｐ１は，前記映像表示部１の下端近傍の位置（下側）に配置され，また，前記第２の光導入部Ｐ２は，前記映像表示部１の上端近傍の位置（上側）に配置されている。
液晶表示装置Ｘは，操作器４０からの信号光を受光して，その信号光の変調内容に応じた電気信号（以下，検出信号という）を出力する２つの信号光受光素子１３，２３（前記信号光検出手段に相当）を備えている。以下，下側の前記第１の光導入部Ｐ１から導入される信号光を検出する信号光受光素子を第１信号光受光素子１３（図中，第１受光素子と記す），上側の前記第２の光導入部Ｐ２から導入される信号光を検出する信号光受光素子を第２信号光受光素子２３（図中，第２受光素子と記す）という。また，第１の光導入部Ｐ１から第１信号光受光素子１３に至る信号光入力用の機器を総称して第１受光部１０，第２の光導入部Ｐ２から第２信号光受光素子２３に至る信号光入力用の機器を総称して第２受光部２０と称する。
なお，２つの信号光受光素子１３，２３の位置関係も，２つの光導入部Ｐ１，Ｐ２の位置関係と同様であり，第１信号光受光素子１３が，映像表示部１の下端近傍の位置（下側）に配置され，また，第２信号光受光素子２３が，映像表示部１の上端近傍の位置（上側）に配置されている。
【００１４】
また，図５（リモコン制御装置Ｙのブロック図）に示すように，液晶表示装置Ｘは，前記第１受光部１０における第１信号光受光素子１３によって出力される検出信号（後述する第１検出信号Ｓｇ１）及び前記第２受光部における第２信号光受光素子２３によって出力される検出信号（後述する第２検出信号Ｓｇ２）に基づいて，前記操作器４０から送信される信号光の変調内容に応じた処理を実行する制御部３０（前記制御手段の一例）をさらに具備している。これら第１受光部１０，第２受光部２０及び制御部３０により，２つの信号光受光素子１３，２３により出力される検出信号Ｓｇ１，Ｓｇ２に応じた処理を実行するリモコン制御装置Ｙが構成されている。
前記制御部３０は，所定のプログラムを実行することによって各種演算処理を行うＭＰＵ３１と，そのＭＰＵ３１によって実行されるプログラムが記憶されるＲＯＭ３２と，前記ＭＰＵ３１が演算処理を実行する過程で参照或いは記録されるデータが記憶されるＥＥＰＲＯＭ３３とを備えている。
そして，制御部３０は，２つの信号光受光素子１３，２３それぞれの信号出力端と接続され，その接続ライン（信号伝送ライン）を通じて２つの信号光受光素子１３，２３それぞれの検出信号Ｓｇ１，Ｓｇ２を入力する。さらに，制御部３０は，入力した検出信号Ｓｇ１，Ｓｇ２（信号光の変調内容を表す信号）をデコードし，デコード情報に応じた処理（例えば，チャンネル選局処理や音量調節処理など）を実行する。
なお，液晶表示装置Ｘは，一般的な映像表示装置（例えば，テレビジョン受像機）が備える不図示の他の構成要素も備えているが，ここではその説明を省略する。
【００１５】
図２（ａ）は，前記第２の光導入部Ｐ２から導入される信号光を受光する第２受光部２０の概略断面図，図２（ｂ）は，前記第１の光導入部Ｐ１から導入される信号光を受光する第１受光部１０の概略断面図である。
前記第１受光部１０は，前記第１の光導入部Ｐ１に配置された導光部１１，その導光部１１の一部に設けられた長波長カットフィルタ１２，その長波長カットフィルタ１２の後方（信号光の進行方向下流側）に配置された第１信号光受光素子１３を備えている。
同様に，前記第２受光部２０は，前記第２の光導入部Ｐ２に配置された導光部２１，その導光部２１の一部に設けられた短波長カットフィルタ２２，その短波長カットフィルタ２２の後方（信号光の進入方向下流側）に配置された第２信号光受光素子２３を備えている。
導光部１１，２１は，それぞれ第１の光導入部Ｐ１，第２の光導入部Ｐ２に到達した信号光を装置内（筐体２の内側）へ導く部材であり，例えば，信号光を透過させるアクリルやガラスなどからなる部材である。
【００１６】
第１信号光受光素子１３及び第２信号光受光素子２３は，操作器４０から出力される信号光（赤外光の変調光）を導光部１１，２１を通じて受光し，その信号光をフォトトランジスタ等の光電変換素子によって電気信号に変換するとともに，その電気信号に復調処理を施すことによって受光した信号光の変調内容に応じた検出信号（電気信号）を生成して出力するデバイスである。以下，第１信号光受光素子１３の検出信号を第１検出信号Ｓｇ１，第２信号光受光素子２３の検出信号を第２検出信号Ｓｇ２という。信号光受光素子１３，２３の受光対象波長帯（光電変換対象とする赤外光の波長帯）は，例えば，８００［ｎｍ］〜１０５０［ｎｍ］の範囲（信号光のピーク波長９５０ｎｍを含む範囲）である。
また，信号光受光素子１３，２３は，受光した赤外光を光電変換して得られる電気信号を，その信号レベルが所定の目標レベルとなるように自動的に増幅又は減衰させるオートゲイン調節機能を備え，ゲイン調節後の電気信号について，予め定められたキャリア周波数で検波することにより復号化した検出信号Ｓｇ１，Ｓｇ２を生成して出力する。従って，信号光受光素子１３，２３は，前記受光対象波長帯の赤外光以外の光を受光した場合，或いは，信号光のキャリア周波数とは全く異なる周波数で強度が変化する（或いは，強度が変化しない）赤外光を受光した場合には，検出信号Ｓｇ１，Ｓｇ２を出力しない。
一方，信号光受光素子１３，２３は，波長が前記受光対象波長帯の範囲内であって，たまたま信号光のキャリア周波数に近い周波数で強度が変化する赤外光であるノイズ光を受光した場合，そのノイズ光に対応した検出信号，即ち，操作器４０から出力される信号光に対応した正規の検出信号ではない信号を出力してしまう。同様に，信号光受光素子１３，２３は，信号光とノイズ光とを同時に受光した場合も，操作器４０から出力される信号光に対応した正規の検出信号ではない信号を出力してしまう。
但し，信号光受光素子１３，２３は，信号光の強度（エネルギー）に対するノイズ光の強度の比が所定レベル以下である場合には，信号処理に十分なＳ／Ｎ比が確保され，操作器４０から出力される信号光に対応した正規の検出信号を出力する。
なお，２つの信号光受光素子１３，２３は，受光した赤外光を光電変換して得られる電気信号の強度が所定の設定レベルに満たない場合は検出信号Ｓｇ１，Ｓｇ２の出力を行わない不感帯が設定されている。
【００１７】
長波長カットフィルタ１２は，第１信号光受光素子１３への信号光の入射経路に配置され，その信号光のピーク波長λpに対して所定の波長幅以上長い波長の光を第１信号光受光素子１３の不感帯の強度まで減衰させる光フィルタ（前記第１の光フィルタの一例）である。
短波長カットフィルタ２２は，第２信号光受光素子２３への信号光の入射経路に配置され，その信号光のピーク波長λpに対して所定の波長幅以上短い波長の光を第２信号光受光素子２３の不感帯の強度まで減衰させる光フィルタ（前記第２の光フィルタの一例）である。
室内照明器具や液晶表示パネルのバックライトに用いられる冷陰極管は，図３に示すように，その点灯開始後の非定常状態（安定状態になる前）であるときに，管内のアルゴンガスにより７８０〜８６０［ｎｍ］の波長の光を放射し，これが信号光受光素子１３，２３に入射すると，信号光に対するノイズ光（以下，非定常時ノイズ光Ｌｎ１という）となる。
また，冷陰極管は，図４に示すように，点灯後しばらく経過した後の安定状態（例えば，１０分経過後）においては，管内の水銀により１０１０［ｎｍ］付近の波長の光を放射し，これが信号光受光素子１３，２３に入射すると，信号光に対するノイズ光（以下，定常時ノイズ光Ｌｎ２という）となる。
そのため，ピーク波長λpが９５０［ｎｍ］である信号光に対し，冷陰極管の光が短波長側のノイズ光（非定常時ノイズ光Ｌｎ１）となったり，長波長側のノイズ光（定常時ノイズ光Ｌｎ１）となったりする。なお，通常，前記非定常時ノイズ光Ｌｎ１の方が，一時的ではあるが強度が強く，前記定常時ノイズ光Ｌｎ２の方が強度が比較的弱い。
【００１８】
そして，長波長カットフィルタ１２は，例えば図４にそのフィルタ特性を示すように，信号光のピーク波長λp（＝９５０［ｎｍ］）に対して５０［ｎｍ］の波長幅以上長い波長（即ち，１０００［ｎｍ］以上）の光を遮断することにより，前記定常ノイズ光Ｌｎ２が第１信号光受光素子１３に入射することを防止するための光フィルタである。
一方，短波長カットフィルタ２２は，例えば，図３にそのフィルタ特性を示すように，信号光のピーク波長λp（＝９５０［ｎｍ］）に対して５０［ｎｍ］の波長幅以上短い波長（即ち，９００［ｎｍ］以下）の光を遮断することにより，前記非定常ノイズ光Ｌｎ１が第２信号光受光素子２３に入射することを防止するための光フィルタである。
なお，図３及び図４において，左側の縦軸は冷陰極管の放射光の波長に応じた相対放射照度［％］を表し，右側の縦軸は光フィルタ１２，２２の入射光の波長に応じた透過率［％］を表す。
【００１９】
次に，図６及び図７を参照しつつ，液晶表示装置Ｘから遠い位置で操作器４０が操作された場合の信号光の到達範囲について説明する。
液晶表示装置Ｘの本体から比較的遠い位置で操作器４０が操作された場合，図６に示すように，その信号光が広がってほぼ確実に前記第１信号光受光素子１３（下側）及び第２信号光受光素子２３の両方に到達する。
一方，液晶表示装置Ｘの本体から比較的近い位置で操作器４０が操作された場合，その信号光は，図６（ａ）又は（ｂ）に示すように，第１信号光受光素子１３（下側）又は第２信号光受光素子２３（上側）のいずれかにしか到達しない状況となりやすい。
以下，室内照明器具の光源が冷陰極管であり，その冷陰極管が前記非定常時ノイズ光Ｌｎ１を放射する非定常状態である場合と，前記定常時ノイズ光Ｌｎ２を放射する定常状態である場合とのそれぞれにおける２つの信号光受光素子１３，２３の動作状態について説明する。
【００２０】
［室内照明器具の冷陰極管が非定常状態である場合］
この場合，液晶表示装置Ｘにおいては，室内照明器具（天井）に近い短波長カットフィルタ２２によって第２信号光受光素子２３への入射光から前記非定常時ノイズ光Ｌｎ１がカット（減衰）される。従って，図６に示すように遠い位置の操作器４０から信号光が出力された場合，少なくともその信号光を受光した第２信号光受光素子２３（上側）の検出信号Ｓｇ２は前記正規の信号となる。同様に，図６（ａ）に示すように近い位置の操作器４０から第２信号光受光素子２３に向けて信号光が出力された場合，その信号光を受光した第２信号光受光素子２３（上側）の検出信号Ｓｇ２は前記正規の信号となる。
また，図６（ｂ）に示すように近い位置の操作器４０から第１信号光受光素子１３（下側）に向けて信号光が出力された場合，第１信号光受光素子１３には，信号光と前記非定常時ノイズ光Ｌｎ１とが入射する。しかしながら，室内照明器具（天井）から遠い第１信号光受光素子１３には，比較的弱い（エネルギーの小さい）前記非定常時ノイズ光Ｌｎ１が混入する一方，近い位置の操作器４０から強い（エネルギーの大きい）信号光が入射するため，第１信号光受光素子１３において十分なＳ／Ｎ比が確保される。そのため，その強い信号光を受光した第１信号光受光素子１３（下側）の検出信号Ｓｇ１は前記正規の信号となる。
以上に示したように，室内照明器具の冷陰極管が非定常状態である場合，操作器４０の位置（信号光受光素子１３，２３からの距離）によらず，ほぼ確実に操作器４０から出力される信号光に応じて正常に処理を実行することができる。
【００２１】
［室内照明器具の冷陰極管が定常状態である場合］
この場合，液晶表示装置Ｘにおいては，長波長カットフィルタ１２によって第１信号光受光素子１３への入射光から前記定常時ノイズ光Ｌｎ２がカット（減衰）される。従って，図６に示すように遠い位置の操作器４０から信号光が出力された場合，少なくともその信号光を受光した第１信号光受光素子１３（下側）の検出信号Ｓｇ１は前記正規の信号となる。同様に，図６（ｂ）に示すように近い位置の操作器４０から第１信号光受光素子１３に向けて信号光が出力された場合，その信号光を受光した第１信号光受光素子１３（上側）の検出信号Ｓｇ１は前記正規の信号となる。
また，図６（ａ）に示すように近い位置の操作器４０から第２信号光受光素子２３（上側）に向けて信号光が出力された場合，第２信号光受光素子１３には，信号光と前記定常時ノイズ光Ｌｎ２とが入射する。しかしながら，第２信号光受光素子２３には，比較的弱い前記定常時ノイズ光Ｌｎ２が混入する一方，近い位置の操作器４０から強い信号光が入射するため，第２信号光受光素子２３において十分なＳ／Ｎ比が確保される。そのため，その強い信号光を受光した第２信号光受光素子２３（上側）の検出信号Ｓｇ２は前記正規の信号となる。
以上に示したように，室内照明器具の冷陰極管が定常状態である場合も，操作器４０の位置（信号光受光素子１３，２３からの距離）によらず，ほぼ確実に操作器４０から出力される信号光に応じて正常に処理を実行することができる。
【００２２】
次に，図８に示すフローチャートを参照しつつ，リモコン制御装置Ｙの制御部３０による信号光対応制御の手順について説明する。図８に示す処理は，当該リモコン制御装置Ｙが搭載されたテレビジョン受像機Ｘに通電がなされた時点から開始される。なお，以下に示すＳ１，Ｓ２，…は，処理手順（ステップ）の識別符号を表す。
まず，制御部３０は，２つの信号光受光素子１３，２３それぞれの検出信号Ｓｇ１，Ｓｇ２の入力ポートに信号が入力されているか否かをチャックすることにより，２つの信号光受光素子１３，２３の一方又は両方からの検出信号Ｓｇ１，Ｓｇ２の出力有無を判別する（Ｓ１）。
続けて，制御部３０は，２つの信号光受光素子１３，２３の両方が検出信号Ｓｇ１，Ｓｇ２を出力しているか否かの判別，即ち，第１信号光受光素子１３及び第２信号光受光素子２３それぞれから並行して（同時又はほぼ同時に）検出信号Ｓｇ１，Ｓｇ２が出力される状態であるか否かの判別（Ｓ２）と，第１信号光受光素子１３及び第２信号光受光素子２３のいずれか一方のみから検出信号（Ｓｇ１又はＳｇ２）が出力される状態であるか否かの判別（Ｓ３）と，それ以外（２つの検出信号Ｓｇ１，Ｓｇ２のいずれも出力されていない）の状態であるか否かの判別（Ｓ３）とを実行する。
【００２３】
そして，制御部３０は，第１信号光受光素子１３及び第２信号光受光素子２３のいずれか一方のみから検出信号（Ｓｇ１又はＳｇ２）が出力される状態であると判別すると（Ｓ３のＹ），出力されている検出信号（Ｓｇ１又はＳｇ２）を以降の処理対象として選択する（Ｓ４，前記信号選択手段の一例）。
一方，制御部３０は，第１信号光受光素子１３及び第２信号光受光素子２３それぞれから並行して検出信号Ｓｇ１，Ｓｇ２が出力される状態であると判別すると（Ｓ２のＹ），直近に（即ち，最も現在に近い過去に）実行したステップＳ７の正規コード判別処理（後述）の結果に応じて，第１信号光受光素子１３及び第２信号光受光素子２３のいずれか一方により出力された検出信号（Ｓｇ１又はＳｇ２）を以降の処理対象として選択する（Ｓ５，前記第１の信号選択手段の一例）。
ここで，前記正規コード判別処理（Ｓ７）は，第１信号光受光素子１３及び第２信号光受光素子２３により出力される検出信号Ｓｇ１，Ｓｇ２にデコード処理を施して得られるコード情報が，予め定められた（ＥＥＰＲＯＭ３３に予め記憶された）複数の登録コード情報のいずれかと一致するか否かを判別し，一致する場合に正規コードであるとの判別結果を，一致しない場合に非正規コードであるとの判別結果を残す処理である。即ち，この正規コード判別処理は，判別対象とする検出信号Ｓｇ１，Ｓｇ２が，操作器４０から出力される信号光に対応する正規の信号であるか否か（即ち，ノイズ光の影響のない信号であるか否か）を判別する処理である（前記信号正否判別手段の一例）。
ステップＳ５において，制御部３０は，直近に実行した前記正規コード判別処理（Ｓ７）の判別結果が前記正規コードであるとの結果である場合は，正規コードであると判別した側の検出信号（Ｓｇ１又はＳｇ２）を以降の処理対象として選択する（Ｓ５）。一方，制御部３０は，直近に実行した前記正規コード判別処理（Ｓ７）の判別結果が前記非正規コードである（正規コードではない）との結果である場合は，非正規コードであると判別した側とは異なる側の検出信号（Ｓｇ１又はＳｇ２）を以降の処理対象として選択する（Ｓ５）。
【００２４】
次に，制御部３０は，ステップＳ４又はＳ５において選択した検出信号（Ｓｇ１又はＳｇ２）についてデコード処理を実行してその検出信号に対応するコード情報を特定する（Ｓ６）。
さらに，制御部３０は，前述した正規コード判別処理を実行することにより，ステップＳ４又はＳ５で選択した検出信号（Ｓｇ１又はＳｇ２）にデコード処理（Ｓ６）を施して得られたコード情報が，前記正規コードであるか前記非正規コードであるかを判別する（Ｓ７，前記信号正否判別手段の一例）。なお，制御部３０は，前述したステップＳ５において参照する判別履歴情報として，最新のステップＳ７の実行結果（直近の判別結果）として，判別対象とした検出信号の識別情報（第１信号光受光素子１３の検出信号Ｓｇ１であるか，第２信号光受光素子２３の検出信号Ｓｇ２であるかを識別する情報）と，その判別結果が正規コードであるか非正規コードであるかを表す情報とをＥＥＰＲＯＭ３３に記憶３３に記録（保存）する。
そして，制御部３０は，ステップＳ６で得たコード情報が前記正規コードである（即ち，選択した検出信号が正規の信号である）と判別した場合，そのコード情報に応じて予め定められた処理を実行し（Ｓ９，前記制御手段の一例），その後，処理を前述したステップＳ１へ戻す。
一方，制御部３０は，ステップＳ６で得たコード情報が前記正規コードではない（前記非正規コードである）と判別した場合，なにも実行せずにそのまま処理を前述したステップＳ１へ戻す。
【００２５】
第１信号光受光素子１３及び第２信号光受光素子２３それぞれから並行して検出信号Ｓｇ１，Ｓｇ２が出力される場合，室内照明器具の状態（前記非定常状態や前記定常状態）等の周囲環境の状態に応じて，第１検出信号Ｓｇ１がノイズ光の影響を受けている（正規の検出信号でない）状況と，第２検出信号Ｓｇ２がノイズ光の影響を受けている状況とがあり，各状況はしばらくの間継続することが多い。従って，両検出信号Ｓｇ１，Ｓｇ２が並行して出力される場合に，予め定められた一方の検出信号を選択すると，ノイズの影響のない検出信号が存在するにもかかわらず，ノイズの影響を受けた検出信号を続けて選択してしまい，正常な処理を実行できなくなる頻度が高くなってしまうこともあり得る。
これに対し，リモコン制御装置Ｙにおいては，２つの検出信号Ｓｇ１，Ｓｇ２が並行して出力される場合に，制御部３０が，ステップＳ５において，直近に正規の検出信号である（前記正規コードである）と判別した側の検出信号，或いは直近に前記正規の信号でない（前記非正規コードである）と判別された側とは異なる側の検出信号を選択する。これにより，ノイズの影響のない検出信号を選択する確率が高まり，より確実に正常な処理を実行できる。
【００２６】
ところで，液晶表示装置Ｘが備える映像表示部１が，冷陰極管を含むバックライト用の光源により背後から照明される液晶表示パネルである場合，そのバックライト用の光源からも，室内照明器具と同様にノイズ光Ｌｎ１，Ｌｎ２が放射される。
その場合，前記制御部３０が，第１信号光受光素子１３及び第２信号光受光素子２３それぞれから並行して検出信号Ｓｇ１，Ｓｇ２が出力される場合（Ｓ２のＹ）に，ステップＳ５において，前記バックライト用の光源の点灯開始からの経過時間ｔxを計時し，その経過時間ｔxが予め定められた設定時間ｔs未満である場合（即ち，前記非定常状態である場合に相当）に第２信号光受光素子２３の検出信号Ｓｇ２を選択し，経過時間ｔxが設定時間ｔs以上である場合（即ち，前記定常状態である場合に相当）に，第１信号光受光素子１３の検出信号Ｓｇ１を選択することが考えられる（前記第２の信号選択手段の一例）。
また，制御部３０が，前記正規コード判別処理の判別結果と，前記バックライト用の光源の点灯開始からの経過時間ｔxとの両方に基づいて，並行出力される検出信号Ｓｇ１，Ｓｇ２の一方を選択することも考えられる。
例えば，前記経過時間ｔxが設定時間ｔx未満である場合には第２信号光受光素子２３の検出信号Ｓｇ２を選択し，それ以外の場合には，前述したのと同様に直近の前記正規コード判別処理の判別結果に応じて検出信号を選択すること等が考えられる。
【００２７】
また，冷陰極管の点灯開始からの経過時間ｔxが設定時間ｔs以上であるか否かの判別は，冷陰極管の温度が予め設定された温度以上であるか否かの判別，或いはその温度の変化が予め定められた変化率以上であるか否かの判別によっても代替できる。よって，バックライト用の光源の温度を検出する温度センサを設け，制御部３０が，ステップＳ５において，その温度センサの検出温度が所定の設定温度未満である，或いはその検出温度の変化が所定の変化率以上である場合に，第２信号光受光素子２３の検出信号Ｓｇ２を選択し，その他の場合に第１信号光受光素子１３の検出信号Ｓｇ１を選択することも考えられる。
【００２８】
以上に示した実施形態では，制御部３０が，２つの検出信号Ｓｇ１，Ｓｇ２のいずれか一方を選択し，選択した検出信号について前記正規コードであるか否か（正規の検出信号であるか否か）を判別する例について示した。
一方，制御部３０が，第１信号光受光素子１３及び第２信号光受光素子２３それぞれから並行して検出信号Ｓｇ１，Ｓｇ２が出力される場合（Ｓ２のＹ）に，その検出信号両方についてデコード処理（Ｓ６）及び前記正規コード判別処理（Ｓ７）を実行する実施例も考えられる（前記信号正否判別手段の一例）。
例えば，２つの検出信号Ｓｇ１，Ｓｇ２それぞれについて一連の検出信号を一次記憶するのに十分な容量の信号バッファを設け，制御部３０が，それら信号バッファそれぞれに記憶（蓄積）された検出信号Ｓｇ１，Ｓｇ２についてデコード処理（Ｓ６）及び正規コード判別処理（Ｓ７）を実行することが考えられる。或いは，制御部３０に処理能力の高い（高速な）ＭＰＵ３１を採用することにより，制御部３０が，２つの検出信号Ｓｇ１，Ｓｇ２についてデコード処理（Ｓ６）及び正規コード判別処理（Ｓ７）を並行処理することも考えられる。
これにより，前記正規コード判別処理の判別結果等に基づいて正規の検出信号であるか否かの判別対象とする信号を選択する処理（Ｓ５）は不要となる。
【産業上の利用可能性】
【００２９】
本発明は，リモート操作器から出力される信号光に応じた処理を実行する制御装置及びそれを備えた映像表示装置等に利用可能である。
【図面の簡単な説明】
【００３０】
【図１】本発明の実施形態に係る液晶表示装置Ｘの概略斜視図。
【図２】液晶表示装置Ｘが備える受光部の概略断面図。
【図３】冷陰極管の非定常時における出力光の波長分布及び受光部が備える短波長カットフィルタのフィルタ特性を表す図。
【図４】冷陰極管の定常時における出力光の波長分布及び受光部が備える長波長カットフィルタのフィルタ特性を表す図。
【図５】液晶表示装置Ｘが備えるリモコン制御装置Ｙの概略構成を表すブロック図。
【図６】液晶表示装置Ｘから遠い位置で操作器が操作された場合の信号光の到達範囲を模式的に表した図。
【図７】液晶表示装置Ｘから近い位置で操作器が操作された場合の信号光の到達範囲を模式的に表した図。
【図８】リモコン制御装置Ｙによる信号光対応制御の手順を表すフローチャート。
【符号の説明】
【００３１】
Ｘ  ：映像表示装置
Ｙ  ：リモコン制御装置
１  ：映像表示部
２  ：筐体
１０：第１受光部
１１：導光部
１２：長波長カットフィルタ
１３：第１信号光受光素子
２０：第２受光部
２１：導光部
２２：短波長カットフィルタ
２３：第２信号光受光素子
３０：制御部
３１：ＭＰＵ
３２：ＲＯＭ
３３：ＥＥＰＲＯＭ
４０：操作器
Ｐ１：第１の光導入部
Ｐ２：第２の光導入部
Ｓ１，Ｓ２，…：処理手順（ステップ）
【図１】
2009065406.tif 000003
【図２】
2009065406.tif 000004
【図３】
2009065406.tif 000005
【図４】
2009065406.tif 000006
【図５】
2009065406.tif 000007
【図６】
2009065406.tif 000008
【図７】
2009065406.tif 000009
【図８】
2009065406.tif 000010